(57)【要約】【課題】ヒレ部に雨水が流れることを抑制可能な袖瓦を提供する。【解決手段】袖瓦１は、瓦部３と、瓦部３の縁部から垂下するヒレ部５とを備える。当該袖瓦１が前方側に組まれた袖瓦１と組んだときに、当該袖瓦１が備える瓦部３の前方側の側面である頭見附３２に開口３５０が形成されるように当該袖瓦１の瓦部３を窪ませた空間を形成するエグリ部３４を備える。【選択図】  図１
2018184806.tif 000002
【特許請求の範囲】
【請求項１】
瓦部（３）と、前記瓦部（３）の縁部から垂下するヒレ部（５）とを備える袖瓦（１）において、
当該袖瓦（１）が前方側に組まれた袖瓦（１）と組んだときに、当該袖瓦（１）が備える前記瓦部（３）の前方側の側面である頭見附（３２）に開口（３５０）が形成されるように当該袖瓦（１）の前記瓦部（３）を窪ませた空間を形成するエグリ部（３４）を備える袖瓦（１）。
【請求項２】
請求項１に記載の袖瓦（１）において、
前記瓦部（３）は、
当該瓦部（３）の表面（３０）のうち前記ヒレ部（５）側の縁部から隆起し、かつ、前記ヒレ部（５）側の縁部に沿って延びた水返部（３５）を備え、
前記エグリ部（３４）は、
当該袖瓦（１）が前方側の袖瓦（１）と組んだときに、前方側の袖瓦（１）の水返部（３５）が入る大きさとなるように当該瓦部（３）の裏面（４０）を窪ませた空間であって、前方側の袖瓦（１）の水返部（３５）が入ったときに、前方側の袖瓦（１）の水返部（３５）からみて当該袖瓦（１）の前記ヒレ部（５）が位置する側とは反対側で当該袖瓦（１）の前記頭見附（３２）に前記開口（３５０）が形成される大きさの空間を形成する袖瓦（１）。
【請求項３】
請求項１又は請求項２に記載の袖瓦（１）において、
前記瓦部（３）は、
当該瓦部（３）の前記ヒレ部（５）側の縁部に形成され、かつ、前記ヒレ部（５）側の縁部に沿って延びた導水路（３６）を備え、
前記導水路（３６）は、
当該瓦部（３）の前方側に位置する先端部分が、前記ヒレ部（５）が設けられた縁部側とは反対側の縁部側に向かって傾斜する袖瓦（１）。
【請求項４】
請求項１〜３のいずれか１項に記載の袖瓦（１）において、
前記瓦部（３）は、
当該瓦部（３）の前記ヒレ部（５）側の縁部に形成され、かつ、前記ヒレ部（５）側の縁部に沿って延びた導水路（３６）を備え、
前記導水路（３６）は、
前記エグリ部（３４）の前記開口（３５０）から見て前記ヒレ部（５）側とは反対側の位置であって、前記エグリ部（３４）の前記開口（３５０）から離れた位置で、前方側の袖瓦（１）に雨水を流し込むためのリリースポイント（３６１）を有する袖瓦（１）。
【請求項５】
請求項３又は請求項４に記載の袖瓦（１）において、
前記エグリ部（３４）は、
前記瓦部（３）の裏面（４０）を窪ませた空間であり、
前記導水路（３６）は、
前記瓦部（３）の表面（３０）を窪ませて形成されており、かつ、後方側に組まれる袖瓦（１）の瓦部（３）に設けられたエグリ部（３４）の少なくとも一部が対向する位置に形成されている袖瓦。
【請求項６】
請求項１〜５のいずれか１項に記載の袖瓦において、
前記エグリ部（３４）の前記開口（３５０）は、
前記頭見附（３２）上を当該開口（３５０）から前記ヒレ部（５）側に向かう方向に沿った幅方向の長さが３ｍｍ以上である袖瓦。
【請求項７】
請求項１〜６のいずれか１項に記載の袖瓦において、
前記瓦部（３）は、
当該袖瓦（１）が後方側の袖瓦（１）と組んだときに、当該袖瓦（１）が備える瓦部（３）の表面のうち後方側に組まれる袖瓦（１）の瓦部（３）が重なる部分に形成され、当該袖瓦（１）が備える当該瓦部（３）の後方側の縁部に、当該袖瓦（１）が備えるヒレ部（５）が設けられた縁部から反対側の縁部まで形成された尻溝（３８）を備える袖瓦。
【発明の詳細な説明】
【技術分野】
【０００１】
本発明は、袖瓦に関する。
【背景技術】
【０００２】
袖瓦は、屋根のケラバを覆う位置に設置される瓦である。そのため、図１３に示すように、袖瓦１００は、屋根を覆う瓦部１０１と家屋の側面を覆うヒレ部１０２とを有し、これらが互いに垂直に組み合わされた構造を有している。
【０００３】
また、袖瓦１００は２種類あり、一つは図１３に示した右袖瓦、もう一つは左袖瓦と呼ばれる。袖瓦１００は、屋根に設置されるときに正対する方向が決まっている。そのため、その正対する方向に対して瓦部１０１の右縁部からヒレ部１０２が垂下する袖瓦１００が、右袖瓦と呼ばれ、瓦部の左縁部からヒレ部が垂下する袖瓦１が、左袖瓦と呼ばれる。
【０００４】
袖瓦１００は、屋根に葺かれると、家屋の側面のうちケラバ付近に設けられる破風板をヒレ部１０２が覆う。そのため、雨が斜めに降ったとき、雨が破風板に当たることをヒレ部１０２が抑制するので、破風板が雨水を吸って腐食することが抑制される（例えば、特許文献１参照）。
【先行技術文献】
【特許文献】
【０００５】
【特許文献１】登録実用新案第３１３４２６５号公報
【発明の概要】
【発明が解決しようとする課題】
【０００６】
ところで、例えば、屋根に正面から吹き付ける風は、屋根に当たると左右に分かれ、左右のケラバ側に向かって吹く。一方、屋根に降った雨水は、屋根に葺かれた袖瓦１００の瓦部１０１の上を流れ落ちる。しかし、その流れ落ちる雨水の一部は、各袖瓦１００が備える瓦部１０１の前方側の側面である頭見附１０４に達しても前方側の袖瓦１００に流れず、表面張力によって頭見附１０４に付くことがある。
【０００７】
そのため風雨のときは、頭見附１０４に付いた雨水が、頭見附１０４上をヒレ部１０２側に流れることがある。すると、その水の流れが、屋根に葺かれた袖瓦１００の瓦部１０１の上を流れ落ちる雨水を誘因し、その誘因された雨水がさらに他の雨水を誘因することで、大量の雨水が、袖瓦１００のヒレ部１０２に向かい、ヒレ部１０２上を流れるおそれがあった。このように、大量の雨水がヒレ部１０２上を流れると、ヒレ部１０２の下端に達した雨水のうち一部の雨水がヒレ部１０２の裏面側に回り込んで破風板に達し、破風板を腐食させてしまうおそれがあった。
【０００８】
そこで、本発明は、ヒレ部に雨水が流れ込むことを抑制可能な袖瓦を提供することを目的とする。
【課題を解決するための手段】
【０００９】
請求項１に記載の発明に係る袖瓦は、瓦部と、前記瓦部の縁部から垂下するヒレ部とを備える袖瓦において、当該袖瓦が前方側に組まれた袖瓦と組んだときに、当該袖瓦が備える前記瓦部の前方側の側面である頭見附に開口が形成されるように当該袖瓦の前記瓦部を窪ませた空間を形成するエグリ部を備える。
【００１０】
この袖瓦では、表面張力によって頭見附に付いた雨水がヒレ部側に向かって流れたとしても、その雨水は、エグリ部の開口に達すると流れの勢いで開口の端部で頭見附からはがされる。すると、そのはがされた雨水は、前方側に組まれた袖瓦の瓦部上を流れ落ちていくこととなる。
したがって、本発明の袖瓦は、表面張力によって頭見附に雨水が付いても、その雨水が前方側に組まれた袖瓦のヒレ部に流れ込むことを抑制することができる。
【００１１】
請求項２に記載したように、瓦部の表面には、ヒレ部側の縁部から隆起し、かつ、ヒレ部側の縁部に沿って延びた水返部を備えるようにしてもよい。この場合、エグリ部は、当該袖瓦の前方側の袖瓦と組んだときに、前方側の袖瓦の水返部が入る大きさとなるように当該瓦部の裏面を窪ませた空間としてもよい。さらに、エグリ部は、前方側の袖瓦の水返部が入ったときに、前方側の袖瓦の水返部からみて当該袖瓦のヒレ部が位置する側とは反対側で当該袖瓦の頭見附に開口が形成される大きさの空間を形成するものとしてもよい。
【００１２】
この袖瓦は、ヒレ部側の縁部に水返部を備えているので、後方側の袖瓦の頭見附に付いてヒレ部側に向かって流れてきた雨水が、エグリ部の開口ではがされた後も瓦部上でヒレ部側に向かったとしても、その雨水がヒレ部に流れることを水返部が抑制する。
【００１３】
しかも、この袖瓦は、前方側の袖瓦を組み合わせたときに、前方側の袖瓦の水返部がエグリ部に入り、なおかつ、水返部が入ったときに頭見附に開口が形成される大きさにエグリ部が形成されているので、水返部が入る窪みを、エグリ部と別に形成する必要がない。
【００１４】
したがって、本発明の袖瓦は、水返部を備えることで、頭見附に開口を形成する効果に加え、雨水がヒレ部に流れることを抑制することができる。
また、本発明の袖瓦は、エグリ部が、前方側に組み合わせた袖瓦が備える水返部をも入る大きさに形成されているので、エグリ部と、水返部が入る窪みとを別々に形成する場合に比べて、構造を単純化することができる。
【００１５】
請求項３に記載したように、瓦部は、瓦部のヒレ部側の縁部に形成され、かつ、ヒレ部側の縁部に沿って延びた導水路を備えていてもよい。導水路は、瓦部の前方側に位置する先端部分が、ヒレ部が設けられた縁部側とは反対側の縁部側に向かって傾斜するものとしてもよい。
【００１６】
この袖瓦は、ヒレ部側の縁部に導水路を備えているので、エグリ部からはがされた雨水が、その後も瓦部上でヒレ部側に向かったとしても、その雨水がヒレ部に流れ込むことを導水路が抑制する。
【００１７】
しかも、この袖瓦は、瓦部の前方側に位置する導水路の先端部分が、ヒレ部が設けられた縁部側とは反対側の縁部側に向かって傾斜しているので、導水路を伝って前方側の袖瓦に落ちた雨水は、ヒレ部側とは反対側に向かって流れる。
【００１８】
したがって、本発明の袖瓦は、導水路を備えることで、エグリ部からはがされた雨水がヒレ部に流れることを抑制することができる。
しかも、本発明の袖瓦は、導水路の先端部分がヒレ部側とは反対側に向かって傾斜しているため、雨水は、前方側の袖瓦に流れ出すときは、ヒレ部側とは反対側に押し出されるので、導水路を流れてきた雨水がヒレ部に流れることを抑制することができる。
【００１９】
請求項４に記載したように、瓦部は、ヒレ部側の縁部に形成され、かつ、ヒレ部側の縁部に沿って延びた導水路を備えていてもよい。導水路は、エグリ部の開口から見てヒレ部側とは反対側の位置であって、エグリ部の開口から離れた位置で、前方側の袖瓦に雨水を流し込むためのリリースポイントを有するものとしてもよい。
【００２０】
この袖瓦は、導水路のリリースポイントが、エグリ部の開口からヒレ部側とは反対側の離れた位置にあるので、リリースポイントから出た雨水が頭見附に付いてヒレ部側に向かっても、エグリ部の開口に達しにくくなる。
【００２１】
したがって、本発明の袖瓦は、導水路を流れてきた雨水が頭見附についても、エグリ部の開口に達し難くなるので、頭見附に開口を形成する効果に加え、さらに、雨水が前方側に組まれた袖瓦のヒレ部に流れることを抑制することができる。
【００２２】
請求項５に記載したように、袖瓦は、エグリ部が瓦部の裏面を窪ませた空間であり、導水路が、瓦部の表面を窪ませて形成され、かつ、後方側に組まれる袖瓦の瓦部に設けられたエグリ部の少なくとも一部が対向する位置に形成されたものとしてもよい。
【００２３】
この袖瓦は、瓦部の裏面を窪ませた空間であるエグリ部に対向して、瓦部の表面を窪ませた導水路の少なくとも一部が位置することになるので、エグリ部が開口した部分には、その開口よりも大きな開口が形成されることになる。そのため、頭見附上をエグリ部の開口に向かって流れてきた雨水は、エグリ部の開口だけがある場合に比べ頭見附から確実にはがされる。
【００２４】
したがって、本発明の袖瓦は、表面張力によって頭見附に雨水が付いても、その雨水がヒレ部側に流れることを、エグリ部の開口が頭見附で開口しているだけの場合よりも、抑制することができる。
【００２５】
請求項６に記載したように、エグリ部の開口は、頭見附上を当該開口からヒレ部側に向かう方向に沿った幅方向の長さが３ｍｍ以上のものとしてもよい。
実験により、エグリ部の開口が３ｍｍ以上であると、ヒレ部に雨水が伝わりにくくなる効果を確認できる。
したがって、エグリ部は、開口が３ｍｍ以上の幅となる大きさに形成するとよい。また、特に開口は４ｍｍ以上であると、特に効果が大きくなるので、エグリ部は、開口が４ｍｍ以上の幅となる大きさに形成するとよい。
【００２６】
請求項７に記載したように、当該袖瓦の瓦部には、当該袖瓦が後方側の袖瓦と組んだときに、当該袖瓦が備える瓦部の表面のうち後方側に組まれる袖瓦の瓦部が重なる部分に、尻溝を形成してもよい。尻溝は、当該袖瓦が備える当該瓦部の後方側の縁部に形成し、当該袖瓦が備えるヒレ部が設けられた縁部から反対側の縁部まで形成されたものとしてもよい。
【００２７】
袖瓦は、瓦部の表面のうち後方側に組まれる袖瓦の瓦部が重なる部分に雨水が浸入することがある。しかし、この袖瓦のように構成されていると、後方側に組まれる袖瓦の瓦部が重なる部分に進入した雨水を、例えば、ヒレ部が設けられた縁部から反対側の縁部に送って、外部にはき出させることができる。
【００２８】
したがって、本発明の袖瓦は、後方側に組まれる袖瓦の瓦部が重なる部分に雨水が滞留することを抑制することができる。
【図面の簡単な説明】
【００２９】
【図１】（ａ）実施形態の袖瓦を左斜め前方から見た斜視図である。          （ｂ）実施形態の袖瓦を右斜め後方から見た斜視図である。
【図２】（ａ）実施形態の袖瓦の平面図である。          （ｂ）実施形態の袖瓦の左側面図である。          （ｃ）実施形態の袖瓦の底面図である。          （ｄ）実施形態の袖瓦の正面図である。
【図３】（ａ）実施形態の袖瓦を前後に組んだ様子を示す斜視図である。          （ｂ）実施形態の袖瓦を前後に組んだ様子を示す左側面図であり、屋根の下地と、袖瓦の内部構造とを点線で示す透過図である。          （ｃ）（ｂ）の一部拡大図である。
【図４】実施形態の袖瓦を前後に組んだ様子を示す正面図である
【図５】実施形態の前後に組んだ袖瓦の一部を抜き出した平面図で、前方側の袖瓦と後方側の袖瓦との境界部分の様子を説明するための説明図である。
【図６】実施形態の袖瓦の後端側を抜き出した斜視図であり、導水路及び尻溝を流れる雨水の様子を説明するための説明図である。
【図７】実施形態の袖瓦の一部を抜き出した斜視図であり、接触部と傾斜部とが同一面上で面接触することを説明するための説明図である。
【図８】実施形態の袖瓦を平置きする様子を説明するための説明図である。
【図９】実施形態の袖瓦を前後に組んだ様子を示す底面図であり、各袖瓦のレインキャッチャーの頂部と、隆起部の頂部とが平行に並ぶことを示す説明図である。
【図１０】（ａ）他の実施形態の袖瓦を前後に組んだ様子を示す正面図であり、導水路の他の例を説明するための説明図である。            （ｂ）他の実施形態の袖瓦の後端側を抜き出した斜視図であり、尻溝の他の例を説明するための説明図である。
【図１１】（ａ）〜（ｃ）は、いずれも他の実施形態の袖瓦の一部を抜き出した斜視図であり、傾斜部の他の例を説明するための説明図である。
【図１２】（ａ）〜（ｂ）は、いずれもエグリ部の構造を模式的に説明した模式図である。（ａ）〜（ｂ）は、エグリ部を通る左右方向に垂直な断面で本実施形態の袖瓦を切断した断面図で示している。
【図１３】従来の袖瓦の説明図である。
【発明を実施するための形態】
【００３０】
以下に本発明の例示的な実施形態を図面を参照しながら説明する。
この説明は、１）本実施形態の袖瓦の形状、２）本実施形態の袖瓦の機能と特徴的な効果の順に行う。
１）袖瓦の形状
ここでは、１−１）袖瓦の全体形状の説明をした後、１−２）袖瓦の詳細な形状についての説明を行う。
【００３１】
１−１）袖瓦の全体形状
本実施形態の袖瓦１は、図１に示すように、屋根に設置されると屋根を覆う瓦部３と、家屋の側面を覆うヒレ部５とを備えている。これら瓦部３及びヒレ部５は、いずれも略長方形の板状に形成されている。袖瓦１は、瓦部３の長手方向に沿った一方の縁部と、ヒレ部５の長手方向に沿った一方の縁部とを一致させ、かつ、瓦部３に対してヒレ部５を垂直に配置した状態で、瓦部３とヒレ部５とを一体に形成した形状に形成されている。
【００３２】
ここで、以下の説明で用いる方向について説明する。
袖瓦１は、屋根に正対する方向が決まっている。そのため、各方向は、下記のような方向を意味する。すなわち、前方は、瓦部３の長手方向の一端側であって、屋根の軒先側を向く方向、後方は、瓦部３の長手方向の他端側であって、屋根の棟側を向く方向を意味する。
【００３３】
左方は、瓦部３の板面に平行な平面上で、瓦部３の前方側から後方側を見たときの左側を向く方向であって、軒先側から棟側を見たときに左側を向く方向、右方は、瓦部３の板面に平行な平面上で、瓦部３の前方側から後方側を見たときの右側を向く方向であって、軒先側から棟側を見たときに右側を向く方向を意味する。
【００３４】
上方は、瓦部３から見てヒレ部５が垂下する方向とは反対を向く方向であって、屋根に葺いたときに天を向く方向を意味し、下方は、瓦部３から見てヒレ部５が垂下する方向であって、屋根に葺いたときに屋根の下地を向く方向を意味する。
【００３５】
ここで、上述の方向を用いて改めて本実施形態の袖瓦１の形状について説明すると、袖瓦１は、瓦部３の左方側の縁部からヒレ部５が垂下する、いわゆる左袖瓦であり、前後方向に長尺な形状に形成されている。
なお、以下の説明では、いわゆる左袖瓦について説明するが、本実施形態の袖瓦１は、瓦部３の右方側の縁部からヒレ部５が垂下する右袖瓦でもよい。その場合、右袖瓦は、左袖瓦と左右方向に垂直な面を基準とすると面対称の構造となる。
【００３６】
１−２）袖瓦の詳細な形状
ここでは、１−２−１）瓦部３の形状について説明した後、１−２−２）ヒレ部５の形状について説明する。
１−２−１）瓦部３の形状
瓦部３は、図２（ａ）に示すように、瓦部３の表面３０（ヒレ部５が垂下する側とは反対側の面）を上方側から見たときに、略長方形状に形成されている。前方側の辺３００と後方側の辺３０１とは互いに略平行で、前方側の辺３００が後方側の辺３０１よりもやや長い。右方側の辺３０２と左方側の辺３０３は、略同じ長さに形成されているが、後方側から前方側に向かって外側に傾斜している。
【００３７】
瓦部３は、図１に示すように、前方側に湾曲部３１が形成されている。湾曲部３１は、瓦部３の前方部分を下方に向かって略弓形状に湾曲させた部位である。
瓦部３の前方側の側面３２は、前後方向に対して垂直な面をなす。この側面３２は、上下方向の幅が、瓦部３の厚みと略同じ幅で形成され、また、左右方向に沿って長尺な形状に形成されている。この側面３２を、以後、頭見附３２と呼ぶ。
【００３８】
瓦部３は、袖瓦１を前後に組んだとき、前方側の袖瓦１に当接する当接面３３であって、瓦部３の裏面４０側に、頭見附３２に対して略垂直に折り曲がった当接面３３が形成されている。この当接面３３は、頭見附３２と略同じ大きさの幅を有し、頭見附３２と同様に、左右方向に沿って長尺な形状に形成された面である。
【００３９】
当接面３３には、エグリ部３４が形成されている。当接面３３は、瓦部３を下方側から見たとき（図１（ｂ）参照）、ヒレ部５側の端部が、他の部分に対して一段下がった形状に形成されている。エグリ部３４は、この一段下がった部分を指す。エグリ部３４は、袖瓦１を前後に組んだときに、前方側の袖瓦１に形成された後述する水返部３５が入る大きさの空間を形成する。しかも、エグリ部３４は、袖瓦１を前後に組んだときに、前方側の袖瓦１に形成された水返部３５が入ると、左右方向に沿った幅が６ｍｍほどの大きさの空間が、前方側の袖瓦１に形成された水返部３５の右側にできる大きさに形成されている（図４参照）。
【００４０】
瓦部３は、表面３０のヒレ部５側（左側）の縁部に、水返部３５及び導水路３６が形成されている。
水返部３５は、瓦部３の表面３０の左辺に接する位置で隆起し、かつ、瓦部３の表面３０の左辺に沿って延びた形状に形成されている。この水返部３５は、瓦部３の後方側の縁部から前方側の先端まで設けられている。
【００４１】
導水路３６は、瓦部３の表面３０のうち、水返部３５の右側で水返部３５に隣接する部分を窪ませて形成されている。この導水路３６は、瓦部３の後方側の縁部から前方側の先端まで設けられている。導水路３６は、水返部３５の右側で水返部３５に隣接する位置に形成されているため、袖瓦１が前後に組まれたときに、後方側の袖瓦１のエグリ部３４に水返部３５が入って、水返部３５の右隣にできた空間に対向する位置に位置することとなる。
【００４２】
導水路３６の前方側の先端部分３６０は、右側に向かって傾斜する形状に形成されている。この先端部分３６０は、エグリ部３４から離れた位置で、導水路３６を流れてきた水を前方側の袖瓦１に雨水を流し込むためのリリースポイント３６１が位置するように傾斜している（図５参照）。
【００４３】
リリースポイント３６１は、エグリ部３４から見て水返部３５とは反対側の位置であって、エグリ部３４の右端から１０ｍｍ以上、より好ましくは２０ｍｍ以上離れた位置にあるとよい。１０ｍｍ未満だとリリースポイント３６１を流下する水がエグリ部３４に直接かかりやすくなり、袖瓦１の重なり部へ侵入しやすくなる可能性があるからである。
【００４４】
瓦部３は、表面３０の後方側の縁部に、尻水返部３７及び尻溝３８が形成されている。
【００４５】
尻水返部３７は、瓦部３の表面３０の後方側の辺に接する位置で隆起し、かつ、瓦部３の表面３０の後方側の辺に沿って延びた形状に形成され、後端で水返部３５と連続している。
尻溝３８は、瓦部３の表面３０のうち、尻水返部３７の前方側で尻水返部３７に隣接する部分を窪ませて形成されている。尻溝３８は、瓦部３の左方の縁部から右方の縁部まで設けられている。尻溝３８は、左側の縁部において、導水路３６と接続されている。尻溝３８の底部は、左側の縁部側から右側の縁部側に向かって下方に傾斜している。
瓦部３は、２つの釘孔３９を有している。これらの釘孔３９は、一方の釘孔３９から他方の釘孔３９を見たときに、前後方向や左右方向に並ばないように斜めに配置されている。
瓦部３が、斜めに配置された２つの釘孔３９を有する理由は、次のとおりである。
屋根の下地は、下地部材を複雑に組み合わせて構成される。しかし、この下地部材には、様々な寸法の部材が用いられる。また、これら下地部材の設置位置も、屋根によって様々である。そのため、本実施形態の袖瓦１は、屋根に葺かれるときに、どこに位置するか分からない下地部材に釘を打ち込んで固定する必要がある。そうすると、２つの釘孔３９を前後または左右に並ぶように配置した場合、いずれの釘孔３９も下地部材に対向する位置に位置しない可能性がある。しかし、２つの釘孔３９を斜めに配置すれば、袖瓦１を葺いたときに、いずれかの釘孔３９が下地部材に対向する位置に位置する可能性が高くなる。そのため、本実施形態では、瓦部３が斜めに配置された２つの釘孔３９を有しているのである。
ただし、袖瓦１を葺いたときに、いずれの釘孔３９も下地部材に対向する位置に配置されることが分かっている場合、これらの釘孔３９を前後または左右に並べて配置してもよい。
【００４６】
瓦部３は、裏面４０の右側の縁部に、支持部４１が設けられている。支持部４１は、裏面４０の右辺に隣接する位置で隆起し、裏面４０の右辺に沿って長尺な形状に形成されている。この支持部４１は、後方側の端部から前方側の端部まで設けられている。
支持部４１の頂部には、ヒレ部５に設けられた後述する傾斜部６３と同一面上で平面を形成する接触部４２が形成されている。
【００４７】
１−２−２）ヒレ部５の形状
ヒレ部５は、図２（ｂ）に示すように、表面５０を袖瓦１の左方側から見たとき、上方側の辺５００と下方側の辺５０１が次のような形状を有する形状に形成されている。上方側の辺５００は、後方側から前方側にまっすぐ向かった後、前方側で湾曲部３１の形状に合わせて湾曲して下った形状に形成されている。下方側の辺５０１は、後方側から前方側に向かって下った後、上方側の辺が湾曲する部分の手前で転じて上る形状に形成されている。一方、前後の辺５０２，５０３は略平行に形成され、前方の辺５０２が後方の辺５０３と同じか、後方の辺５０３よりもやや長い形状に形成されている。
【００４８】
ヒレ部５には、表面５０の下辺に接する位置から隆起したレインキャッチャー５１を備えている。このレインキャッチャー５１は、ヒレ部５の下辺に沿って長尺な形状に形成され、長手方向に沿って水路を形成する。このレインキャッチャー５１は、ヒレ部５の下辺に沿って設けられているため、前方側の一部が後方側から前方側に向かって上る形状に形成されている。また、レインキャッチャー５１は、前方側に向かって先細りする形状に形成されている。なお、レインキャッチャー５１のうち、前方側で上る形状に形成されている部分を特に、乗上部５２と呼ぶ。
【００４９】
ヒレ部５には、図１に示すように、裏面６０の前方側に、平面形状に形成された取付部６１が形成されている。本実施形態１では、複数の袖瓦１を前後に組むが、前方側に組まれる袖瓦１の後端側の一部が、後方側に組まれる袖瓦１の前方側に入った状態で組まれる。このとき、前方側に組まれる袖瓦１のヒレ部５と、後方側に組まれる袖瓦１のヒレ部５とが一部重なる。そのためヒレ部５の前方側の端部には、前方側に組まれる袖瓦１のヒレ部５が重なることができるように平面形状に形成された取付部６１が形成されている。
また、ヒレ部５は、袖瓦１を前後に組んだときに、取付部６１が当接する表側の部分が、平坦な形状に形成されている。
【００５０】
ヒレ部５には、裏面６０から隆起する隆起部６２が形成されている。この隆起部６２は、取付部６１が形成されている部分を除き、裏面６０の下辺に接する位置で、ヒレ部５の前方側から後方側に向かって長尺な形状に形成されている。隆起部６２は、下方側の根元部６２０（裏面６０の下辺）から頂部６２１まで傾斜する傾斜部６３を有する。この傾斜部６３は、根元部６２０から頂部６２１に向かって斜め上方に傾斜している。この傾斜部６３は、瓦部３に設けられた接触部４２と同一面上で平面を形成する。接触部４２及び傾斜部６３は、瓦部３とヒレ部５とが接合する部分を上にして袖瓦１を平板の上に置く平置きをしたときに、その平板に面接触する。
【００５１】
ヒレ部５は、図２（ｃ）に示すように、下方から見上げたとき、隆起部６２の頂部６２１のりょう線が、前後方向、すなわち、当該袖瓦１を前後に並べる並び方向に沿った形状に形成されている。また、ヒレ部５は、レインキャッチャー５１の頂部５１０のりょう線が、すなわち、隆起部６２の頂部６２１が位置する側とは反対側の形状を画定する画定線が、当該袖瓦１を前後に並べる並び方向に沿った形状に形成されている。
【００５２】
２）本実施形態の袖瓦の機能と特徴的な効果
次に、本実施形態の袖瓦１の機能について説明する。以下では、２−１）袖瓦１の組み方について説明した後、２−２）組んだ各袖瓦１で発揮される機能と特徴的な効果を順に説明する。
【００５３】
２−１）袖瓦１の組み方
本実施形態の袖瓦１は、図３に示すように、後方側に組まれる袖瓦１の前方側の端部部分が、前方側に組まれる袖瓦１の後方側の端部部分に重なるように組まれる。
【００５４】
具体的には、図３（ｃ）に示すように、後方側に組まれる袖瓦１の瓦部３の前方部分が、前方側に組まれる袖瓦１の瓦部３の後方部分に被さるようにして、後方側に組まれる袖瓦１が前方側に組まれる袖瓦１に組まれる。このとき、後方側に組まれる袖瓦１の当接面３３が尻水返部３７及び尻溝３８よりも前方側の袖瓦１の表面３０に当接するように組まれる。また、後方側に組まれる袖瓦１が備える乗上部５２が、前方側に組まれる袖瓦１が備えるレインキャッチャー５１の上に重なるように組まれる。さらに、図示はしていないものの、各袖瓦１は、後方側に組まれる袖瓦１の取付部６１が、前方側に組まれる袖瓦１のヒレ部５の表面５０に当接するように組まれる。
【００５５】
このように組まれた各袖瓦１は、図４に示すように、隆起部６２の頂部６２１が破風板に当たった状態となる。そのため各袖瓦１は、ヒレ部５が家屋の側面から所定距離開けて設置されることになる。
【００５６】
ただし、ヒレ部５は、瓦部３の前方側の辺が後方側の辺より長いことから、前方側が外側に開いた状態で屋根に設置される。隆起部６２が、前方側から後方側に向かって高さが次第に低くなる形状に形成されている理由は、袖瓦１を屋根に葺いたときにヒレ部５が上記のように前方側が外側に開いた状態で屋根に設置されることに合わせるためである。
【００５７】
一方、各袖瓦１の瓦部３は、図３（ｃ）に示すように、瓦部３の後端が屋根の下地に付き、そして、袖瓦１の当接面３３が、前方側に組まれる袖瓦１の尻水返部３７及び尻溝３８よりも前方側の袖瓦１の表面３０に当接するように組まれて、屋根の下地上に設置される。そのため各袖瓦１は、瓦部３の中間部分が屋根の下地から浮いた状態で設置されることになる。
【００５８】
２−２）組んだ各袖瓦１で発揮される機能及び特徴的な効果
以上のように組まれた各袖瓦１で発揮される機能について、以下、順に説明する。
最初に、ヒレ部５に雨水が流れ込ませ難くする機能及び特徴的な効果について説明する。
【００５９】
Ａ．エグリ部３４は、各袖瓦１が組まれると、図４に示すように、左側に寄せて前方側に組まれた袖瓦１の水返部３５が入り、その水返部３５の右隣に空間が形成される。この空間により、頭見附３２に開口３５０が形成される。しかも、水返部３５に隣接して導水路３６が形成されているので、開口３５０は、導水路３６の空間と合わせることで、頭見附３２だけで形成される開口３５０よりも大きな開口となっている。
【００６０】
そのため、各袖瓦１では、表面張力によって頭見附３２に雨水が付き、その雨水がヒレ部５側に流れたとしても、その雨水は、エグリ部３４の開口に達すると流れの勢いで開口３５０の端部で頭見附３２からはがされる。すると、はがされた雨水は、その勢いによって頭見附３２に沿ってさらに進もうとしても、その進んだ先が空間になっているので、前方側に組まれた袖瓦１のヒレ部５に流れることが抑制されて導水路３６内に落ち、前方側に組まれた袖瓦１の瓦部３に設けられた導水路３６内を流れ落ちていくこととなる。
【００６１】
したがって、本実施形態の袖瓦１は、表面張力によって頭見附３２に雨水が付いても、エグリ部３４ではがされるので、その雨水が前方側に組まれた袖瓦１のヒレ部５に流れることを抑制できる。
【００６２】
Ｂ．水返部３５は、導水路３６よりもヒレ部５側に設けられ、しかも、瓦部３の表面３０から隆起している。
そのため、後方側の袖瓦の頭見附３２に付いてヒレ部５側に向かって流れてきた雨水が、エグリ部３４の開口３５０を通過した後もヒレ部５側に向かったとしても、その雨水がヒレ部５に流れることを水返部３５が抑制する。すなわち、本実施形態の袖瓦１は、エグリ部３４と水返部３５とで、頭見附３２に付いた雨水がヒレ部５に達することを二重に抑制している。
したがって、本実施形態の袖瓦１は、頭見附３２に付いた雨水がヒレ部５に達することを二重に抑制しているので、雨水がヒレ部に流れることをより効果的に抑制できる。
【００６３】
Ｃ．水返部３５及び導水路３６は、ヒレ部側の縁部に後方側の端部から前方側の端部まで設けられている。
そのため、頭見附３２からはがされた雨水が、はがされた後も瓦部３上をヒレ部５側に向かって流れても、その雨水がヒレ部に流れることを水返部３５及び導水路３６が抑制する。
したがって、本実施形態の袖瓦１は、水返部３５及び導水路３６を備えることで、瓦部３上をヒレ部５側に流れる雨水がヒレ部に流れることをも抑制できる。
【００６４】
Ｄ．導水路３６は、瓦部３に落ちた雨水を集水することになるので、多量の雨水を前方側の袖瓦１に流し込むことになる。しかし、導水路３６の先端部分３６０が、ヒレ部５が設けられた縁部側とは反対側の縁部側に向かって傾斜しているので、導水路３６を伝って前方側の袖瓦１に落ちた雨水は、ヒレ部５側とは反対側に向かって主に流れる。
したがって、本実施形態の袖瓦１は、導水路３６を多量の雨水が流れてきても、その雨水がヒレ部５に流れることを抑制できる。
【００６５】
Ｅ．導水路３６のリリースポイントが、図５に示すように、エグリ部３４の開口３５０から見てヒレ部５側とは反対側の離れた位置にある。
そのため、本実施形態の袖瓦１は、リリースポイントから出た雨水の一部が頭見附３２に付いてヒレ部５側に向かっても、その雨水は、エグリ部３４に達しにくくなっている。
したがって、本実施形態の袖瓦１は、導水路３６を流れてきた雨水が頭見附３２についても、その雨水が前方側に組まれた袖瓦１のヒレ部５に流れることを抑制できる。
【００６６】
Ｆ．尻溝３８は、図６に示すように、瓦部３の表面のうち後方側に組まれる袖瓦１の瓦部３が重なる部分に雨水が浸入しても、その進入した雨水を、ヒレ部５が設けられた縁部から反対側の縁部に送って、外部にはき出す。
したがって、本実施形態の袖瓦１は、後方側に組まれる袖瓦１の瓦部３が重なる部分に雨水が滞留することを抑制できる。
なお、本実施形態では、導水路３６が瓦部３の後方側の端部にも達している。そのため、導水路３６も、瓦部３の表面のうち後方側に組まれる袖瓦１の瓦部３が重なる部分に雨水が浸入しても、その進入した雨水を、ヒレ部５が設けられた縁部から反対側の縁部に送って、外部にはき出す機能を果たす。
【００６７】
Ｇ．エグリ部３４は、図４に示すように、袖瓦１を前後に組み合わせたときに、前方側の袖瓦１の水返部３５がエグリ部３４に入り、しかも、水返部３５が入ったときに頭見附３２に開口が形成される大きさに形成されている。
したがって、本実施形態の袖瓦１は、水返部３５が入る窪みを、エグリ部３４と別に形成する必要がないので、これらを別々に形成する場合に比べて、構造を単純化できる。
【００６８】
Ｈ．隆起部６２が、ヒレ部５の裏面６０に備えられているため、ヒレ部５が家屋の側面から所定の距離開けて設置される。
そのため、本実施形態の袖瓦１は、ヒレ部５の下端に達した雨水が破風板に付くことを抑制できる。
【００６９】
Ｉ．隆起部６２が、ヒレ部５の前方側の縁部側から後方側の縁部側に向かって長尺な形状に形成されている。
そのため、本実施形態の袖瓦１は、ヒレ部５の下端で雨水が落適などによって跳ねても、その跳ねた雨水が破風板まで達することが抑制される。
【００７０】
Ｊ．隆起部６２が、図１に示すように、根元部６２０から頂部６２１に向かって斜め上方に傾斜する傾斜部６３を備えている。
そのため、表面張力により雨水が隆起部６２に付いて根元部６２０から頂部６２１に向かうことが抑制される。
したがって、本実施形態の袖瓦１は、ヒレ部５の下端に達しただけの雨水はもちろん、ヒレ部５の下端で跳ねた雨水や、表面張力で隆起部６２を頂部６２１に向かって上がろうとする雨水も、破風板に付くことを抑制できる。
【００７１】
Ｋ．接触部４２及び傾斜部６３は、図７に示すように、同一面で面接触する。
そのため、図８に示すように、瓦部３とヒレ部５とが接合する部分を上にして袖瓦１を平板の上に置く平置きをすれば、袖瓦１は、乾燥台車上などに安定して平置きできる。
したがって、袖瓦１の生産工程において、量産可能な生産ラインに組み込めるため、手動工場と比べ生産効率が大幅に向上できる。
【００７２】
Ｌ．隆起部６２の頂部６２１が、図９に示すように、袖瓦１の並び方向に沿った形状に形成されている。また、レインキャッチャー５１の頂部５１０が、袖瓦１の並び方向に沿った形状に形成されている。この結果、２つの頂部６２１と頂部５１０が略平行となっている。
そのため、複数の袖瓦１を組んだ各ヒレ部５を下方から見たとき、各ヒレ部５が備える隆起部６２の頂部６２１のりょう線とその反対側のレインキャッチャー５１の頂部とが平行に並ぶ。
したがって、本実施形態の袖瓦１は、前後に組んだヒレ部５を下方から見上げた姿が、意匠上大変美しい。
【００７３】
Ｍ．レインキャッチャー５１は、図３（ｃ）に示すように、複数の袖瓦１を前後に組んだとき、乗上部５２が、前方側の袖瓦のレインキャッチャー５１に乗り上げるので、組み合わされたレインキャッチャー５１は、図３（ａ）に示すように、後方側の袖瓦１から前方側の袖瓦１まで長尺な形状の水路を形成する。
また、レインキャッチャー５１、ヒレ部５を伝ってヒレ部５の下端に落ちる雨水を受け止める。
したがって、本実施形態の袖瓦１は、ヒレ部５を伝う雨水が集水されて、その雨水が連結されたレインキャッチャー５１の先頭まで送られるので、雨水が各袖瓦１から落ちることを抑制できる。その結果、ケラバの下方に設置されたエアコンの室外機などに雨水が当たる雨音の発生を抑制できる。また、本実施形態の袖瓦１は、いわゆる犬走りなどを雨だれによって汚すことがない。
【００７４】
［他の実施形態］
以上、実施形態について説明したが、特許請求の範囲に記載された発明は、上記実施形態に限定されることなく、種々の形態を採り得る。
【００７５】
（１）上記実施形態で説明した導水路３６は、図１０（ａ）に示すように、瓦部３の表面３０に窪みを設けることなく、水返部３５だけを設け、その右側の近傍としてもよい。
（２）上記実施形態で説明した尻溝３８は、図１０（ｂ）に示すように、導水路３６側に傾斜していてもよい。
【００７６】
（３）上記実施形態で説明した傾斜部６３は、平板に面接触可能な形状に形成されていればよく、例えば、図１１（ａ）〜図１１（ｃ）に示すように、様々な形の凹凸６３０が形成されていてもよい。接触部４２も同様である。
【００７７】
（４）上記実施形態で説明した傾斜部６３の角度は、瓦部３や、ヒレ部５の大きさによって変化するので、その大きさに応じて雨が遡りにくい角度であればどのような角度でもよい。例えば、ヒレ部５の裏面６０に対して３５°〜６０°程度であってもよい。
【００７８】
（５）上記実施形態で説明したエグリ部３４は、図１２（ａ）に示すように、当接面３３（図１（ｂ）参照）の幅方向（前後方向に沿った方向）の全体を窪ませて形成したが、図１２（ｂ）に示すように、幅方向の一部、例えば前方側だけを窪ませた形状に形成してもよい。
なお、図１２は、エグリ部３４を模式的に説明するためのもので、導水路３６等は記載していない。
【００７９】
（６）上記実施形態で説明したエグリ部３４は、開口３５０の左右方向の幅が６ｍｍとなる大きさになるものとした。しかし、水返部３５と導水路３６を備える袖瓦１で開口の幅を変えて試験を行った結果、開口３５０は左右方向の幅が３ｍｍ以上であると、ヒレ部５に雨水が伝わりにくくなる効果を確認できる。
したがって、エグリ部３４は、開口３５０が３ｍｍ以上の幅となる大きさに形成するとよい。また、特に開口３５０は４ｍｍ以上であると、特に効果が大きくなるので、エグリ部３４は、開口３５０が４ｍｍ以上の幅となる大きさに形成するとよい。
【００８０】
（７）上記実施形態で説明した当接面３３は、頭見附３２と略同じ大きさの幅を有し、頭見附３２と同様に、左右方向に沿って長尺な形状に形成された面とした。しかし、この当接面３３の幅は、頭見附３２と略同じ大きさの幅以外にも様々な幅で形成されていてもよい。
【００８１】
（８）上記実施形態で説明した瓦部３は、図２（ａ）に示すように、瓦部３の表面３０（ヒレ部５が垂下する側とは反対側の面）を上方側から見たときに、略長方形状に形成されている。しかし、家屋の構造によっては、瓦部３は、上記の例に比べ、前方側の辺３００が後方側の辺３０１よりもより長い台形形状その他の形状に形成されていてもよい。右方側の辺３０２と左方側の辺３０３も、長さが異なっていてもよい。
（９）上記実施形態で説明した瓦部３は、尻溝３８が、尻水返部３７に隣接する部分に形成されているが、尻水返部３７から離れた位置に形成されていてもよい。
【００８２】
（１０）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００８３】
１… 袖瓦  ３… 瓦部  ５… ヒレ部  ３０… 表面  ３１… 湾曲部  ３２… 頭見附  ３３… 当接面  ３４… エグリ部  ３５… 水返部  ３６… 導水路  ３７… 尻水返部  ３８… 尻溝  ３９…釘孔  ４０… 裏面  ４１… 支持部  ４２… 接触部  ５０… 表面  ５１… レインキャッチャー  ５２… 乗上部  ６０… 裏面  ６１… 取付部  
６２… 隆起部  ６３… 傾斜部  ３５０… 開口  ３６０… 先端部分
３６１… リリースポイント  ５１０… 頂部  ６２０… 根元部  ６２１… 頂部  
６３０…凹凸
【図１】
2018184806.tif 000003
【図２】
2018184806.tif 000004
【図３】
2018184806.tif 000005
【図４】
2018184806.tif 000006
【図５】
2018184806.tif 000007
【図６】
2018184806.tif 000008
【図７】
2018184806.tif 000009
【図８】
2018184806.tif 000010
【図９】
2018184806.tif 000011
【図１０】
2018184806.tif 000012
【図１１】
2018184806.tif 000013
【図１２】
2018184806.tif 000014
【図１３】
2018184806.tif 000015